(57)【要約】【課題】プッシュスキャン機能により紙媒体等から読み取られた画像が第三者に盗み見され、情報が漏洩してしまうことを防ぐための技術を提供する。【解決手段】画像読取システムにおいて、スキャナは、画像データの送付先となるＰＣをユーザに指定させ、生成したスキャンデータをＲＡＭに格納する。そして、ＰＣとスキャンデータとを対応付けたスキャンリストをＲＡＭに登録し、このＰＣに対して、スキャンデータに関する情報を通知する。すると、ＰＣは、通知を受けた旨をユーザに報知する。そして、報知に対応して、ユーザからスキャンデータを要求する旨の操作を受けると、データ要求をスキャナに対して送信する。スキャナは、ＰＣからスキャンデータの要求を受け付けると、ＲＡＭに格納されたスキャンデータを、ＰＣに対して送信する。【選択図】図２
2010081376.tif 000002
【特許請求の範囲】
【請求項１】
ユーザから直接受け付けた指示に基づき画像を読み取り、読み取った画像に基づき画像データを生成する画像読取装置と、当該画像読取装置が生成した画像データに基づく画像を表示する端末装置とを有する画像読取システムであって、
前記画像読取装置は、
生成した画像データを画像記録手段に格納する読取格納手段と、
前記画像データの送付先となる端末装置である指定端末装置を前記ユーザに指定させる端末指定手段と、
前記指定端末装置と前記画像データとを対応付けた対応データを対応記録手段に格納する端末格納手段と、
前記指定端末装置に対して、画像データに関する情報を通知する情報通知手段と、
前記指定端末装置から画像データの要求を受け付ける要求受付手段と、
前記要求受付手段により画像データの要求を受け付けたことを条件として、前記画像記録手段に格納された画像データであって、前記要求受付手段により要求を受け付けた指定端末装置が前記対応データにより対応付けられた画像データを、前記指定端末装置に対して送信する画像送信手段と、
を備え、
前記端末装置は、
前記情報通知手段による通知を受けたことを条件として、ユーザに報知する報知手段と、
前記報知手段による報知に応じて、ユーザから画像データを要求する旨の操作を受けると、前記データ要求を前記画像読取装置に対して送信する要求送信手段と、
を備えたことを特徴とする画像読取システム。
【請求項２】
請求項１に記載の画像読取システムの端末装置において、
前記報知手段は、前記通知を受けたことを条件として、画像を表示可能な表示手段に前記通知を受けた旨の通知画像を表示させ、
前記要求送信手段は、前記表示手段上において前記通知画像がユーザにより選択されると、前記ユーザから画像データを要求する旨の操作を受けたものとして、前記データ要求を前記画像読取装置に対して送信すること
を特徴とする画像読取システム。
【請求項３】
請求項１または請求項２に記載の画像読取システムであって、
前記画像読取装置は、
前記画像記録手段に格納された画像データを消去する第１消去手段と、
前記第１消去手段により消去される画像データに対応する指定端末装置に対して、消去される画像データに関する情報の消去通知を行う消去通知手段と、
を備え、
前記端末装置は、
前記画像読取装置の情報通知手段により通知された画像データに関する情報を情報記録手段に格納する情報格納手段と、
前記画像読取装置から消去される画像データに関する情報の消去通知を受けると、前記情報記録手段に記録した画像データに関する情報から、消去通知を受けた画像データに関する情報を消去する第２消去手段と、を備え、
前記報知手段は、前記情報記録手段に少なくとも１つの画像データに関する情報が記録されていることを条件として、前記ユーザに報知する
ことを特徴とする画像読取システム。
【請求項４】
ユーザから直接受け付けた指示に基づき画像を読み取り、読み取った画像に基づき画像データを生成する画像読取装置と、前記画像読取装置から通知を受けたことを条件として、ユーザに報知し、その報知に応じてユーザから画像データを要求する旨の操作を受けると、データ要求を前記画像読取装置に対して送信し、前記画像読取装置が生成した画像データに基づく画像を表示する端末装置とを有する画像読取システムを構成する画像読取装置であって、
生成した画像データを画像記録手段に格納する読取格納手段と、
前記画像データの送付先となる端末装置である指定端末装置を前記ユーザに指定させる端末指定手段と、
前記指定端末装置と前記画像データとを対応付けた対応データを対応記録手段に格納する端末格納手段と、
前記指定端末装置に対して、画像データに関する情報を通知する情報通知手段と、
前記指定端末装置から画像データの要求を受け付ける要求受付手段と、
前記要求受付手段により画像データの要求を受け付けたことを条件として、前記画像記録手段に格納された画像データであって、前記要求受付手段により要求を受け付けた指定端末装置が前記対応データにより対応付けられた画像データを、前記指定端末装置に対して送信する画像送信手段と、
を備えたことを特徴とする画像読取装置。
【発明の詳細な説明】
【技術分野】
【０００１】
本発明は、紙媒体等から画像を読み取り、読み取った画像に基づく画像データを生成する画像読取装置、および画像読取システムに関する。
【背景技術】
【０００２】
ＬＡＮに接続されたパーソナルコンピュータ（以下、ＰＣという。）とＭＦＰ（多機能周辺装置）との間でスキャン画像データ等の授受を行うシステムが知られている。特許文献１には、ユーザがＭＦＰに対して直接スキャンを指示し、ＭＦＰにて生成されたスキャン画像データを、ＬＡＮ上のＰＣに送信するというプッシュスキャン機能について記載されている。
【特許文献１】特開２００５−１９２０２２号公報
【発明の開示】
【発明が解決しようとする課題】
【０００３】
ところで、プッシュスキャンを行う際には、ユーザは、スキャンの対象となる紙媒体等をＭＦＰにセットし、ＭＦＰに対してプッシュスキャンを開始する旨の操作を行う必要がある。このため、プッシュスキャンを行う際、ユーザは、スキャン画像データを受信するＰＣの付近にいないことが予測される。しかしながら、従来は、スキャン画像データを受信したＰＣは、ユーザがＰＣを操作することなく、自動的にアプリケーションを起動し、スキャン画像をディスプレイにそのまま表示していた。このため、プッシュスキャン機能により紙媒体等の画像をスキャンする場合には、ディスプレイを覗き見るだけで、ＰＣを介してスキャン画像が第三者に盗み見され、情報が漏洩してしまうおそれがあった。
【０００４】
本願発明は上記課題を解決するためになされたものであり、プッシュスキャン機能により紙媒体等から読み取られた画像が第三者に盗み見され、情報が漏洩してしまうことを防ぐための技術を提供することを目的とする。
【課題を解決するための手段】
【０００５】
かかる目的を達成するために成された請求項１に記載の発明は、ユーザから直接受け付けた指示に基づき画像を読み取り、読み取った画像に基づき画像データを生成する画像読取装置と、当該画像読取装置が生成した画像データに基づく画像を表示する端末装置とを有する画像読取システムであって、前記画像読取装置は、生成した画像データを画像記録手段に格納する読取格納手段と、前記画像データの送付先となる端末装置である指定端末装置を前記ユーザに指定させる端末指定手段と、前記指定端末装置と前記画像データとを対応付けた対応データを対応記録手段に格納する端末格納手段と、前記指定端末装置に対して、画像データに関する情報を通知する情報通知手段と、前記指定端末装置から画像データの要求を受け付ける要求受付手段と、前記要求受付手段により画像データの要求を受け付けたことを条件として、前記画像記録手段に格納された画像データであって、前記要求受付手段により要求を受け付けた指定端末装置が前記対応データにより対応付けられた画像データを、前記指定端末装置に対して送信する画像送信手段と、を備え、前記端末装置は、前記情報通知手段による通知を受けたことを条件として、ユーザに報知する報知手段と、前記報知手段による報知に応じて、ユーザから画像データを要求する旨の操作を受けると、前記データ要求を前記画像読取装置に対して送信する要求送信手段と、を備えたことを特徴としている。
【０００６】
即ち、本発明の画像読取システムでは、画像読取装置が端末装置への操作に基づくデータ要求を受け付けるまでは、端末装置へ画像データを送信しないようにしている。従って、このような画像読取装置によれば、読み取った画像が第三者に盗み見され、情報が漏洩することを防止することができる。
【０００７】
ところで、請求項１に記載の画像読取システムにおいては、請求項２に記載のように、報知手段は、通知を受けたことを条件として、画像を表示可能な表示手段に通知を受けた旨の通知画像を表示させ、要求送信手段は、表示手段上において通知画像がユーザにより選択されると、ユーザから画像データを要求する旨の操作を受けたものとして、データ要求を画像読取装置に対して送信するようにしてもよい。
【０００８】
このような画像読取システムによれば、ユーザは端末装置において通知画像を選択するだけで、画像データを画像読取装置から取得することができる。
また、請求項１または請求項２に記載の画像読取システムにおいては、請求項３に記載のように、画像読取装置は、画像記録手段に格納された画像データを消去する第１消去手段と、第１消去手段により消去される画像データに対応する指定端末装置に対して、消去される画像データに関する情報の消去通知を行う消去通知手段と、を備え、端末装置は、画像読取装置の情報通知手段により通知された画像データに関する情報を情報記録手段に格納する情報格納手段と、画像読取装置から消去される画像データに関する情報の消去通知を受けると、情報記録手段に記録した画像データに関する情報から、消去通知を受けた画像データに関する情報を消去する第２消去手段と、を備え、報知手段は、情報記録手段に少なくとも１つの画像データに関する情報が記録されていることを条件として、ユーザに報知するようにしてもよい。
【０００９】
このような画像読取システムによれば、画像読取装置が画像データを消去する際に、端末装置側の画像データに関する情報も削除することができる。このとき、端末装置において１つでも画像データに関する情報が残っていれば、報知手段の作動を実施することができる。
【００１０】
次に、上記目的を達成するために成された請求項４に記載の発明は、ユーザから直接受け付けた指示に基づき画像を読み取り、読み取った画像に基づき画像データを生成する画像読取装置と、前記画像読取装置から通知を受けたことを条件として、ユーザに報知し、その報知に応じてユーザから画像データを要求する旨の操作を受けると、データ要求を前記画像読取装置に対して送信し、前記画像読取装置が生成した画像データに基づく画像を表示する端末装置とを有する画像読取システムを構成する画像読取装置であって、生成した画像データを画像記録手段に格納する読取格納手段と、前記画像データの送付先となる端末装置である指定端末装置を前記ユーザに指定させる端末指定手段と、前記指定端末装置と前記画像データとを対応付けた対応データを対応記録手段に格納する端末格納手段と、前記指定端末装置に対して、画像データに関する情報を通知する情報通知手段と、前記指定端末装置から画像データの要求を受け付ける要求受付手段と、前記要求受付手段により画像データの要求を受け付けたことを条件として、前記画像記録手段に格納された画像データであって、前記要求受付手段により要求を受け付けた指定端末装置が前記対応データにより対応付けられた画像データを、前記指定端末装置に対して送信する画像送信手段と、を備えた画像読取装置であることを特徴としている。
【００１１】
このような画像読取装置によれば、請求項１に記載の画像読取システムと同様の効果を享受することができる。
【発明を実施するための最良の形態】
【００１２】
以下に本発明にかかる実施の形態を図面と共に説明する。
［本実施形態の構成］
図１は本発明が適用された画像読取システム１の概略構成を示すブロック図である。
【００１３】
画像読取システム１は、図１に示すように、複数のスキャナ１０，２０，３０（画像読取装置）と、複数のパーソナルコンピュータ（端末装置：以下、「ＰＣ」という。）５０，６０とが、通信線５に接続されて構成されている。
【００１４】
各スキャナ１０，２０，３０は、表示部１１、読取部１２、処理部１３、入力部１４、および通信部１５を備えている。なお、図１においては、スキャナ１０のみについて詳細に記載し、スキャナ２０，３０については詳細な記載を省略しているが、スキャナ２０，３０についてもスキャナ１０と同様の構成である。
【００１５】
表示部１１は、液晶ディスプレイ等の周知の表示装置として構成されており、処理部１３から送信される画像信号に基づく画像を表示させる。
読取部１２は、原稿上の画像を読み取るための周知の読取機構として構成されており、複数のボタンやタッチパネルとして構成されたユーザインタフェースである入力部１４を介して、ユーザから読取指令が入力されると、処理部１３からの指令によって作動される。
【００１６】
通信部１５は、通信線５に接続された他の装置（ここでは特に各ＰＣ５０，６０）と通信するための周知の通信インタフェースとして構成されている。
処理部１３は、ＣＰＵ、ＲＯＭ、ＲＡＭ等を備えた周知のマイクロコンピュータとして構成されており、入力部１４や通信部１５を介して何らかの指令が入力されると、自身のＲＯＭに格納されたプログラムに基づいて、所定の処理を実施する。また、処理部１３には不揮発性のメモリ（例えばフラッシュメモリ等）を備えている。
【００１７】
次に、ＰＣ５０，６０は、通信部５１、制御部５２、ディスプレイ５３（表示手段）、および操作部５４を備えている。なお、図１においては、ＰＣ５０のみについて詳細に記載し、ＰＣ６０については詳細な記載を省略しているが、ＰＣ６０についてもＰＣ５０と同様の構成である。
【００１８】
通信部５１は、スキャナ１０，２０，３０の通信部１５と同様に、通信線５に接続された他の装置（ここでは特に各スキャナ１０，２０，３０）と通信するための周知の通信インタフェースとして構成されている。
【００１９】
ディスプレイ５３は、液晶ディスプレイ等の周知の表示装置として構成されており、制御部５２から送信される画像信号に基づく画像を表示させる。
操作部５４は、例えば、キーボードやマウス等のユーザインタフェースとして構成されている。
【００２０】
制御部５２は、ＣＰＵ、ＲＯＭ、ＲＡＭ等を備えた周知のマイクロコンピュータとして構成されており、通信部５１や操作部５４を介して何らかの指令が入力されると、自身のＲＯＭに格納されたプログラムに基づいて、所定の処理を実施する。また、制御部５２には不揮発性のメモリ（例えばＨＤＤ（ハードディスクドライブ）等）を備えている。
【００２１】
［本実施形態の処理］
このように構成された画像読取システム１においては、ユーザが何れかのスキャナ１０，２０，３０に対して直接スキャンを指示し、スキャナ１０，２０，３０において読取部１２が原稿を読み取ることによって生成されたスキャン画像データ（以下、単に「スキャンデータ」という。）を、通信線５上のＰＣ５０，６０に送信するという、いわゆるプッシュスキャン機能を備えている。
【００２２】
このプッシュスキャン機能を実現する際の具体的な処理について、図２以下を用いて説明する。図２はスキャナ１０，２０，３０の処理部１３が実施するスキャナメイン処理を示すフローチャートである。
【００２３】
スキャナメイン処理は、例えばスキャナ１０，２０，３０の電源が投入されると開始される処理であって、まず、図２に示すように、何らかの命令が入力部１４または通信部１５を介して入力されたか否かを判定する（Ｓ１１０，Ｓ２１０，Ｓ２６０）。何れの命令も受けていなければ（Ｓ１１０，Ｓ２１０，およびＳ２６０：ＮＯ）、何れかの命令を受けるまでＳ１１０，Ｓ２１０，Ｓ２６０の処理を繰り返す。
【００２４】
スキャン開始指令を受けていれば（Ｓ１１０：ＹＥＳ）、現時点でＰＣリストに含まれているＰＣ名を一覧表示し（Ｓ１２０）、ユーザにスキャンデータの送信先となるＰＣ名を選択させる。ここで、ＰＣリストとは、図３上段に示すように、ＰＣ名と登録時刻（ＰＣ登録命令を受けた時刻）とを対応付けてリスト化したデータであり、後述するＳ２７０の処理にて追記される。
【００２５】
そして、この一覧から少なくとも１つのＰＣ名が選択されたか否かを判定する（Ｓ１３０：端末指定手段）。何れのＰＣ名も選択されていなければ（Ｓ１３０：ＮＯ）、ＰＣ名が選択されるまでＳ１３０の処理を繰り返す。また、少なくとも１つのＰＣ名が選択されていれば（Ｓ１３０：ＹＥＳ）、選択されたＰＣ名をスキャンリスト（対応データ）に登録する（Ｓ１４０：端末格納手段）。
【００２６】
ここで、スキャンリストとは、図３中段に示すように、処理部１３内のＲＡＭにおいて、画像データを特定するスキャンＩＤ、画像データの登録時刻、ＰＣ名、画像データを記録したＲＡＭ内のアドレスを示すデータポインタを対応付けて記録したものである。この処理では、スキャンリストのうち、ＰＣ名の欄のみを埋めることになる。
【００２７】
続いて、読取部１２を作動させて原稿のスキャンを実施し、生成した画像データを処理部１３内のＲＡＭに記録する際のデータポインタ、スキャンＩＤ，登録時刻をスキャンリストに登録する（Ｓ１５０：読取格納手段）。つまり、スキャンリストのうち、ＰＣ名以外の欄を埋めることになる。なお、スキャンＩＤは、スキャンデータを識別することができる固有の文字列であればよく、例えば、登録時刻およびスキャナのＭＡＣアドレス等に応じた乱数を用いて自動的に生成される。
【００２８】
そして、Ｓ１３０の処理にて選択されたＰＣ５０，６０に対して、自己の名称（スキャナ１０，２０，３０の名称）、スキャンＩＤ、および登録時刻の情報等の画像データに関する情報（図４上段参照）を含むスキャン完了通知を送信し（Ｓ１６０：情報通知手段）、その後、スキャナメイン処理を最初から繰り返す。なお、スキャン完了通知を受けたＰＣ５０，６０は、この通知内容をスキャン完了通知リストに登録し、通知を受けた旨を表すアイコンを表示させる（後述するＰＣメイン処理のＳ４２０，Ｓ４３０参照）。
【００２９】
次に、スキャナメイン処理が開始された際に、スキャンデータ送信命令を受けていれば（Ｓ１１０：ＮＯ、かつＳ２１０：ＹＥＳ、要求受付手段）、スキャンデータ送信命令に含まれるスキャンＩＤに対応するスキャンデータを、スキャンリストを参照することによって読み出し、スキャンデータ送信命令の送信元のＰＣ５０，６０に読み出したスキャンデータを送信する（Ｓ２２０：画像送信手段）。
【００３０】
なお、スキャンデータ送信命令には、図４下段に示すように、スキャンＩＤの情報が含まれている。また、Ｓ２２０の処理においては、スキャンリストに記載のＰＣ名と、スキャンデータ送信命令の送信元のＰＣ名とが一致するか否かを判断し、一致する場合のみスキャンデータを送信し、相違する場合には、スキャンデータを送信しないようにしてもよい。
【００３１】
この処理が終了すると（つまり、スキャンデータが送信されると）、送信したスキャンデータに該当する事項をスキャンリストから削除するとともに、スキャンデータそのものも削除し（Ｓ２３０）、スキャナメイン処理を最初から繰り返す。
【００３２】
次に、スキャナメイン処理が開始された際に、ＰＣ登録命令を受けていれば（Ｓ１１０およびＳ２１０：ＮＯ、かつＳ２６０：ＹＥＳ）、ＰＣ登録命令に含まれるＰＣ名（図４中段参照）に現在時刻である登録時刻を付してＰＣリストに登録し（Ｓ２７０）、スキャナメイン処理を最初から繰り返す。
【００３３】
次に、スキャナ１０，２０，３０が、作動中のＰＣ５０，６０を特定するための処理について図５を用いて説明する。図５（ａ）はスキャナ１０，２０，３０の処理部１３が実施するスキャナ定期処理を示すフローチャート、図５（ｂ）はＰＣ５０，６０の制御部５２が実施するＰＣ側定期処理を示すフローチャートである。
【００３４】
スキャナ定期処理においては、例えば、スキャナ１０，２０，３０の電源が投入されると開始される処理であって、図５（ａ）に示すように、まず、ＰＣリストを参照し、登録時刻が６分以上前であるものを選択および削除する（Ｓ３１０：第１消去手段）。そして、スキャンリストを参照し、登録時刻から１日以上経過したものをスキャンリストから削除し、ＰＣに対して画像データに関する情報を消去する旨の通知であるエクスパイア通知を行う（Ｓ３２０：消去通知手段）。
【００３５】
この際、スキャンリストから削除したデータに対応するスキャンデータも削除する。なお、エクスパイア通知には、図４中段に示すように、スキャンＩＤが含まれている。
その後、一定時間（例えば５分間）スリープする（Ｓ３３０）。一定時間が経過すると、スキャナ定期処理を最初から繰り返す。
【００３６】
また、ＰＣ側定期処理においては、例えば、ＰＣ５０，６０の電源が投入されると開始される処理であって、まず、図５（ｂ）に示すように、スキャナ名が登録されたスキャナ１０，２０，３０に対して、ＰＣ名を含むデータであるＰＣ登録命令を送信し（Ｓ２１０）、その後、一定時間（例えば５分間）スリープする（Ｓ２２０）。一定時間が経過すると、再びＳ２１０以下の処理を実施する。
【００３７】
なお、このようなＰＣ側定期処理によってＰＣ登録命令を受けたスキャナ１０，２０，３０では、前述のように、ＰＣ登録命令に対応してＰＣ名と登録時刻とを対応付けたＰＣリスト（例えばＲＡＭに記録されている。）にデータを書き込む処理を実施する（スキャナメイン処理のＳ６１０，Ｓ６２０参照）。
【００３８】
これらのＰＣ側定期処理およびスキャナ定期処理によって、スキャナ１０，２０，３０では起動しているＰＣ５０，６０を特定することができるようになる。
次に、ＰＣ５０，６０が通信部５１または操作部５４を介して何らかの命令を受信したときの処理を図６を用いて説明する。図６はＰＣ５０，６０の制御部５２が実施するＰＣメイン処理を示すフローチャートである。
【００３９】
ＰＣメイン処理においては、例えばＰＣの電源が投入されると開始される処理であって、まず、通信部５１または操作部５４を介して何らかの命令を受信したか否かを判定する（Ｓ４１０，Ｓ４６０，Ｓ５６０）。何れの命令も受けていなければ（Ｓ４１０，Ｓ４６０，およびＳ５６０：ＮＯ）、何れかの命令を受けるまでＳ４１０，Ｓ４６０，Ｓ５６０の処理を繰り返す。
【００４０】
通信部５１を介してスキャナ１０，２０，３０からスキャン完了通知を受信していれば（Ｓ４１０：ＹＥＳ）、スキャン完了通知をスキャン完了通知リストに登録する（Ｓ４２０）。
【００４１】
スキャン完了通知リストは、図３下段に示すように、スキャン完了通知に含まれるスキャンＩＤ、およびスキャナ名の情報に、このリストを登録するときの時刻である登録時刻の情報を付して記録されるものである。なお、スキャン完了通知リストは制御部５２のＲＡＭやＨＤＤ等のメモリに記録される。
【００４２】
続いて、ＰＣ５０，６０のディスプレイ５３において表示されるツールバーに、スキャンデータがある旨を示すアイコン（例えばスキャナとデータとを表す所定の画像）を表示させ（Ｓ４３０：報知手段）、その後、スキャナ定期処理を最初から繰り返す。
【００４３】
次に、ＰＣメイン処理が開始された際に、ユーザが操作部５４を介してツールバーのアイコンをクリック（選択）していれば（Ｓ４１０：ＮＯ、かつＳ４６０：ＹＥＳ）、スキャン完了通知リストの一覧を読み出し、表示させる（Ｓ４７０）。そして、ユーザが操作部５４を介してリストから少なくとも１つのスキャンデータを選択したか否かを判定する（Ｓ４８０）。なお、スキャン完了通知リストにスキャンデータが１つだけある場合には、このスキャンデータが選択されたものとみなして、Ｓ４７０，Ｓ４８０の処理を省略してもよい。
【００４４】
スキャンデータが選択されていなければ（Ｓ４８０：ＮＯ）、スキャンデータが選択されるまでＳ４８０の処理を繰り返す。また、スキャンデータが選択されていれば（Ｓ４８０：ＹＥＳ）、スキャンデータ送信命令をスキャン完了通知に記載のスキャナ名に対応するスキャナ１０，２０，３０に送信する（Ｓ４９０：要求送信手段）。
【００４５】
そして、この要求に対して送信されるスキャンデータを受信し、ディスプレイ５３に表示するとともに制御部５２のＨＤＤ等のメモリに保存する（Ｓ５００）。続いて、受信したスキャンデータに対応する事項をスキャン完了通知リストから削除する（Ｓ５１０）。
【００４６】
次いで、スキャン完了通知リストに未処理のもの（スキャンデータを受信していないもの）があるか否かを判定する（Ｓ６１０）。スキャン完了通知リストに未処理のものがあれば（Ｓ６１０：ＮＯ）、ディスプレイ５３においてツールバーにスキャンデータがない旨のアイコン（例えばスキャナのみを表す所定の画像）を表示させ（Ｓ６２０）、その後、ＰＣメイン処理を最初から繰り返す。また、スキャン完了通知リストに未処理のものがあれば（Ｓ６１０：ＹＥＳ）、ディスプレイ５３においてツールバーにスキャンデータがある旨のアイコンを表示させ（Ｓ６３０）、ＰＣメイン処理を終了する。
【００４７】
次に、ＰＣメイン処理が開始された際に、エクスパイア通知を受信していれば（Ｓ５６０）、エクスパイア通知に含まれるスキャンＩＤに対応する事項をスキャン完了通知リストから削除し（Ｓ５７０：第２消去手段）、その後、Ｓ６１０以下と同様の処理を実施する。
【００４８】
ここで、上記のように説明した各種処理において、スキャナ１０，２０，３０とＰＣ５０，６０との間でやりとりされるデータについて図７および図８を用いて説明する。図７（ａ）は待機時（読取部１２が作動していないとき）においてスキャナ１０，２０，３０、ＰＣ５０，６０間でのデータのやりとりを示すラダーチャート、図７（ｂ）はエクスパイア時においてスキャナ１０，２０，３０、ＰＣ５０，６０間でのデータのやりとりを示すラダーチャート、図８はスキャン時（読取部１２が作動しているとき）においてスキャナ１０，２０，３０、ＰＣ５０，６０間でのデータのやりとりを示すラダーチャートである。
【００４９】
待機時においては、ＰＣ５０，６０は、図７（ａ）に示すように、定期的にＰＣ登録命令をスキャナ１０，２０，３０に送信することによって、自身が作動している旨をスキャナ１０，２０，３０に通知する（Ｓ３６０）。そして、スキャナ１０，２０，３０では、ＰＣ登録命令を受ける度に、ＰＣ名および登録時刻をＰＣリストに登録する（Ｓ３１０）。
【００５０】
スキャナ１０，２０，３０に保存したスキャンデータを削除するエスクパイア時には、図７（ｂ）に示すように、スキャナ１０，２０，３０からスキャンリストに登録されたＰＣ５０，６０に対してエクスパイア通知が送信される（Ｓ３２０）。この通知を受けたＰＣ５０，６０では、該当するスキャン完了通知を削除する（Ｓ５１０）。
【００５１】
スキャン時には、図８に示すように、スキャナ１０，２０，３０からスキャンデータに先立ってスキャン完了通知がＰＣ５０，６０に対して送信される（Ｓ１６０）。そして、この通知を受けたＰＣ５０，６０は、この通知内容をスキャン完了通知リストに登録し（Ｓ４２０）、通知を受けた旨を表すアイコンを表示させる（Ｓ４３０）。そして、ＰＣ５０，６０がスキャンデータの指定を受けると（Ｓ４８０）、スキャンデータ送信命令をスキャナ１０，２０，３０に対して送信し（Ｓ４９０）、この命令を受けたスキャナ１０，２０，３０は、スキャンデータをＰＣ５０，６０に対して送信する（Ｓ２２０）。
【００５２】
［本実施形態の効果］
以上のように詳述した画像読取システム１において、スキャナ１０，２０，３０は、画像データの送付先となるＰＣ５０，６０をユーザに指定させ、生成したスキャンデータを処理部１３内のＲＡＭに格納する。そして、ＰＣ５０，６０とスキャンデータとを対応付けたスキャンリスト（対応データ）を処理部１３のＲＡＭに登録し、ＰＣ５０，６０に対して、スキャンデータに関する情報を通知する。
【００５３】
すると、ＰＣ５０，６０は、スキャナ１０，２０，３０からの通知を受けたことを条件として、通知を受けた旨をユーザに報知する。そして、報知に対応して、ユーザからスキャンデータを要求する旨の操作を受けると、データ要求をスキャナ１０，２０，３０に対して送信する。
【００５４】
スキャナ１０，２０，３０は、ＰＣ５０，６０からスキャンデータの要求を受け付けると、処理部１３内のＲＡＭに格納されたスキャンデータを、ＰＣ５０，６０に対して送信する。
【００５５】
即ち、本発明の画像読取システム１では、スキャナ１０，２０，３０がＰＣ５０，６０への操作に基づくデータ要求を受け付けるまでは、ＰＣ５０，６０へスキャンデータを送信しないようにしている。従って、このようなスキャナ１０，２０，３０によれば、読み取った画像が第三者に盗み見され、情報が漏洩することを防止することができる。
【００５６】
さらに、画像読取システム１において、ＰＣ５０，６０の制御部５２は、通知を受けたことを条件として、ディスプレイ５３に通知を受けた旨の通知画像（アイコンおよびスキャンデータの一覧）を表示させ、ディスプレイ５３上において通知画像がユーザにより選択されると、ユーザからスキャンデータを要求する旨の操作を受けたものとして、データ要求をスキャナ１０，２０，３０に対して送信する。
【００５７】
このような画像読取システム１によれば、ユーザはＰＣ５０，６０において通知画像を選択するだけで、スキャンデータをスキャナ１０，２０，３０から取得することができる。
【００５８】
また、画像読取システム１において、スキャナ１０，２０，３０は、スキャンデータが生成されてから所定時間が経過したときにスキャンデータを消去し、消去されるスキャンデータに対応するＰＣ５０，６０に対して、消去されるスキャンデータに関する情報の消去通知を行う。
【００５９】
また、ＰＣ５０，６０は、スキャンデータに関する情報が制御部５２のＲＡＭに格納されており、スキャナ１０，２０，３０から消去されるスキャンデータに関する情報の消去通知を受けると、スキャンデータに関する情報から、消去通知を受けたスキャンデータに関する情報を消去する。さらに、ＰＣ５０，６０の制御部５２は、少なくとも１つのスキャンデータに関する情報が記録されていることを条件として、スキャンデータがある旨をユーザに報知する。
【００６０】
このような画像読取システム１によれば、スキャナ１０，２０，３０内にいつまでもスキャンデータが留まり続けることを防止することができる。また、スキャナ１０，２０，３０がスキャンデータを消去する際に、ＰＣ５０，６０側のスキャンデータに関する情報も削除することができる。このとき、ＰＣ５０，６０において１つでもスキャンデータに関する情報が残っていれば、スキャンデータがある旨の通知を実施することができる。
【００６１】
なお、本発明の実施の形態は、上記の実施形態に何ら限定されることはなく、本発明の技術的範囲に属する限り種々の形態を採りうる。
例えば、上記実施形態において、ＰＣ５０，６０の制御部５２は、スキャンデータがある旨の通知を受けた回数（スキャンデータの個数）に拘わらず、同様の通知（即ち、スキャンデータがある旨のアイコンの表示）を行うようにしたが、以下のようにしてもよい。即ち、制御部５２は、通知を受けた回数と同数の通知画像をスキャンＩＤを対応付けてディスプレイ５３にそれぞれ選択可能に表示させ、ディスプレイ５３上において何れかの通知画像が選択されると、ユーザからスキャンデータを要求する旨の操作を受けたものとして、該選択された通知画像に対応するスキャンＩＤを含むデータ要求をスキャナ１０，２０，３０に対して送信する。このようにしても、上記実施形態と同様の効果が得られる。
【００６２】
また、上記実施形態のスキャナ１０，２０，３０は、プリンタ機能、ファクシミリ機能等を備えた複合機として構成されていてもよい。
【図面の簡単な説明】
【００６３】
【図１】画像読取システム１の概略構成を示すブロック図である。
【図２】スキャナメイン処理を示すフローチャートである。
【図３】ＰＣリスト、スキャンリスト、およびスキャン完了通知リストの一例を示す説明図である。
【図４】スキャン完了通知、エスクパイア通知、ＰＣ登録命令、およびスキャンデータ送信命令の一例を示す説明図である。
【図５】スキャナ定期処理を示すフローチャート（ａ）、およびＰＣ側定期処理を示すフローチャート（ｂ）である。
【図６】ＰＣメイン処理を示すフローチャートである。
【図７】待機時（読取部１２が作動していないとき）においてデータのやりとりを示すラダーチャート（ａ）、およびエクスパイア時においてデータのやりとりを示すラダーチャート（ｂ）である。
【図８】スキャン時（読取部１２が作動しているとき）においてデータのやりとりを示すラダーチャートである。
【符号の説明】
【００６４】
１…画像読取システム、５…通信線、１０，２０，３０…スキャナ、１１…表示部、１２…読取部、１３…処理部、１４…入力部、１５…通信部、５０，６０…ＰＣ、５１…通信部、５２…制御部、５３…ディスプレイ、５４…操作部。
【図１】
2010081376.tif 000003
【図２】
2010081376.tif 000004
【図５】
2010081376.tif 000005
【図６】
2010081376.tif 000006
【図７】
2010081376.tif 000007
【図８】
2010081376.tif 000008
【図３】
2010081376.tif 000009
【図４】
2010081376.tif 000010